(57)【要約】【課題】  輻輳時、ゲートウェイのところでセッション要求を規制し、これにより無用な負荷をゲートウェイが結ぶそれぞれの網に与えないようにする。【解決手段】  網における少なくとも電話を含むセッションの設定に起因する輻輳を制御する輻輳制御装置であって、網間を接続するゲートウェイを経由する全てのセッションに対して、着信側端末の識別情報単位に、当該セッションの不完了を測定し、測定結果を不完了情報として記憶装置に記憶する不完了計測部２と、記憶装置から不完了情報を読み出し、この不完了情報を基にゲートウェイにおける当該着信側端末へのセッション設定要求を規制する規制制御部５、規制実行・解除部６とを設けた構成とする。【選択図】        図１
2005223496.tif 000002
【特許請求の範囲】
【請求項１】
網における少なくとも電話を含むセッションの設定に起因する輻輳を制御する輻輳制御装置であって、
網間を接続するゲートウェイ装置を経由する全てのセッションを監視し、着信側端末単位に、当該端末へのセッションの完了もしくは不完了結果を取得して記憶装置に記憶する第１の手段と、
上記記憶装置から上記セッションの完了結果情報もしくは不完了結果情報を読み出し該完了情報もしくは不完了情報を基に当該着信側端末へのセッション設定要求を規制する第２の手段と
を有することを特徴とする輻輳制御装置。
【請求項２】
請求項１に記載の輻輳制御装置であって、
上記第２の手段は、
接続要求セッション数に対する不完了セッション数の割合である不完了率が予め決められた第１の閾値を越えるか否か、もしくは接続要求セッション数に対する完了セッション数の割合である完了率が予め決められた第２の閾値を下回るか否かを判別する手段と、
上記不完了率が第１の閾値を越えた場合、もしくは上記完了率が第２の閾値を下回った場合、当該着信側端末向けのセッションに対して、予め決められた回数分あるいは測定から求められた回数分の接続要求に対して、もしくは、予め決められた回数分を設定した後、測定により修正された回数分の接続要求に対して、予め決められたセッション数のみがゲートウェイ装置を通過するように規制する手段と
を有することを特徴とする輻輳制御装置。
【請求項３】
請求項１に記載の輻輳制御装置であって、
上記第２の手段は、
接続要求セッション数に対する不完了セッション数の割合である不完了率が予め決められた第１の閾値を越えるか否か、もしくは接続要求セッション数に対する完了セッション数の割合である完了率が予め決められた第２の閾値を下回るか否かを判別する手段と、
上記不完了率が第１の閾値を越えた場合、もしくは上記完了率が第２の閾値を下回った場合、当該着信側端末向けのセッションに対して、予め決められた時間間隔あるいは測定から求められた時間間隔で、もしくは、予め決められた時間間隔に設定した後、測定により修正された時間間隔で、予め決められたセッション数のみがゲートウェイ装置を通過するように規制する手段と
を有することを特徴とする輻輳制御装置。
【請求項４】
請求項１から請求項３のいずれかに記載の輻輳制御装置であって、
網からゲートウェイ装置に加わるセッション要求数に対するゲートウェイ装置を通過しないセッション要求数の割合としての第１の不完了率もしくは通過するセッション要求数の割合としての第１の完了率を算出する手段と、
ゲートウェイ装置を通過した網へのセッション要求数に対する不完了セッション数の割合としての第２の不完了率もしくは完了セッション数の割合としての第２の完了率を算出する手段と、
上記第１，第２の不完了率もしくは上記第１，第２の完了率を基に上記第１の手段による規制を解除する手段と
を有することを特徴とする輻輳制御装置。
【請求項５】
請求項４に記載の輻輳制御装置であって、
上記第２の不完了率もしくは上記第２の完了率のそれぞれに対して上限と下限の２つの閾値を設け、
上記第２の不完了率が下限を下回った場合もしくは上記第２の完了率が上限を上回った場合にはゲートウェイ装置での規制をゆるめ、
上記第２の不完了率が上限を上回った場合もしくは上記第２の完了率が下限を下回った場合にはゲートウェイ装置での規制を強化する手段
を有することを特徴とすることを特徴とする輻輳制御装置。
【請求項６】
請求項４もしくは請求項５のいずれかに記載の輻輳制御装置であって、
上記第１の不完了率に対して下限の閾値としての規制解除閾値を、もしくは上記第１の完了率に対して上限の閾値としての規制解除閾値を設け、
上記規制を解除する手段は、上記第１の不完了率が上記規制解除閾値を下回った場合、もしくは上記第１の完了率が上記規制解除閾値を上回った場合に、上記ゲートウェイ装置での規制解除を行うことを特徴とする輻輳制御装置。
【請求項７】
請求項２に記載の輻輳制御装置であって、
上記ゲートウェイ装置を通過するセッションを規制する手段は、
ゲートウェイ装置を通過した網へのセッション要求数に対する不完了セッション数の割合としての第２の不完了率もしくは完了セッション数の割合としての第２の完了率を算出する手段と、
上記第２の不完了率もしくは上記第２の完了率が予め決められた上限と下限の間の値になるように、上記予め決められたセッション数をゲートウェイ装置を通過させる際のセッション接続要求回数を決定する手段と
を有することを特徴とする輻輳制御装置。
【請求項８】
請求項３に記載の輻輳制御装置であって、
上記ゲートウェイ装置を通過するセッションを規制する手段は、
ゲートウェイ装置を通過した網へのセッション要求数に対する不完了セッション数の割合としての第２の不完了率もしくは完了セッション数の割合としての第２の完了率を算出する手段と、
上記第２の不完了率もしくは上記第２の完了率が予め決められた上限と下限の間の値になるように、上記予め決められたセッション数をゲートウェイ装置を通過させる際の時間間隔を決定する手段と
を有することを特徴とする輻輳制御装置。
【請求項９】
コンピュータを、請求項１から請求項８のいずれかに記載の輻輳制御装置における各手段として機能させるためのプログラム。
【請求項１０】
網における少なくとも電話を含むセッションの設定に起因する輻輳を制御する装置の輻輳制御方法であって、
網間を接続するゲートウェイ装置を経由する全てのセッションを監視し、着信側端末単位に、当該端末へのセッションの完了もしくは不完了結果を取得して記憶装置に記憶する第１のステップと、
上記記憶装置から上記セッションの完了結果情報もしくは不完了結果情報を読み出し該完了情報もしくは不完了情報を基に当該着信側端末へのセッション設定要求を規制する第２のステップと
を有することを特徴とする輻輳制御方法。
【請求項１１】
請求項１０に記載の輻輳制御方法であって、
上記第２のステップでは、
接続要求セッション数に対する不完了セッション数の割合である不完了率が予め決められた第１の閾値を越えるか否か、もしくは接続要求セッション数に対する完了セッション数の割合である完了率が予め決められた第２の閾値を下回るか否かを判別するステップと、
上記不完了率が第１の閾値を越えた場合、もしくは上記完了率が第２の閾値を下回った場合、当該着信側端末向けのセッションに対して、予め決められた回数分あるいは測定から求められた回数分の接続要求に対して、もしくは、予め決められた回数分を設定した後、測定により修正された回数分の接続要求に対して、予め決められたセッション数のみがゲートウェイ装置を通過するように規制するステップと
を有することを特徴とする輻輳制御方法。
【請求項１２】
請求項１０に記載の輻輳制御方法であって、
上記第２のステップでは、
接続要求セッション数に対する不完了セッション数の割合である不完了率が予め決められた第１の閾値を越えるか否か、もしくは接続要求セッション数に対する完了セッション数の割合である完了率が予め決められた第２の閾値を下回るか否かを判別するステップと、
上記不完了率が第１の閾値を越えた場合、もしくは上記完了率が第２の閾値を下回った場合、当該着信側端末向けのセッションに対して、予め決められた時間間隔あるいは測定から求められた時間間隔で、もしくは、予め決められた時間間隔に設定した後、測定により修正された時間間隔で、予め決められたセッション数のみがゲートウェイ装置を通過するように規制するステップと
を有することを特徴とする輻輳制御方法。
【請求項１３】
請求項１０から請求項１２のいずれかに記載の輻輳制御方法であって、
網からゲートウェイ装置に加わるセッション要求数に対するゲートウェイ装置を通過しないセッション要求数の割合としての第１の不完了率もしくは通過するセッション要求数の割合としての第１の完了率を算出するステップと、
ゲートウェイ装置を通過した網へのセッション要求数に対する不完了セッション数の割合としての第２の不完了率もしくは完了セッション数の割合としての第２の完了率を算出するステップと、
上記第１，第２の不完了率もしくは上記第１，第２の完了率を基に上記第１のステップでの規制を解除するステップと
を有することを特徴とする輻輳制御方法。
【請求項１４】
請求項１３に記載の輻輳制御方法であって、
上記第２の不完了率もしくは上記第２の完了率のそれぞれに対して上限と下限の２つの閾値を設け、
上記第２の不完了率が下限を下回った場合もしくは上記第２の完了率が上限を上回った場合にはゲートウェイ装置での規制をゆるめるステップと、
上記第２の不完了率が上限を上回った場合もしくは上記第２の完了率が下限を下回った場合にはゲートウェイ装置での規制を強化するステップと
を有することを特徴とすることを特徴とする輻輳制御方法。
【請求項１５】
請求項１３もしくは請求項１４のいずれかに記載の輻輳制御方法であって、
上記第１の不完了率に対して下限の閾値としての規制解除閾値を、もしくは上記第１の完了率に対して上限の閾値としての規制解除閾値を設け、
上記規制を解除するステップでは、上記第１の不完了率が上記規制解除閾値を下回った場合、もしくは上記第１の完了率が上記規制解除閾値を上回った場合に、上記ゲートウェイ装置での規制解除を行うことを特徴とする輻輳制御方法。
【請求項１６】
請求項１１に記載の輻輳制御方法であって、
上記ゲートウェイ装置を通過するセッションを規制するステップでは、
ゲートウェイ装置を通過した網へのセッション要求数に対する不完了セッション数の割合としての第２の不完了率もしくは完了セッション数の割合としての第２の完了率を算出するステップと、
上記第２の不完了率もしくは上記第２の完了率が予め決められた上限と下限の間の値になるように、上記予め決められたセッション数をゲートウェイ装置を通過させる際のセッション接続要求回数を決定するステップと
を有することを特徴とする輻輳制御方法。
【請求項１７】
請求項１２に記載の輻輳制御方法であって、
上記ゲートウェイ装置を通過するセッションを規制するステップでは、
ゲートウェイ装置を通過した網へのセッション要求数に対する不完了セッション数の割合としての第２の不完了率もしくは完了セッション数の割合としての第２の完了率を算出するステップと、
上記第２の不完了率もしくは上記第２の完了率が予め決められた上限と下限の間の値になるように、上記予め決められたセッション数をゲートウェイ装置を通過させる際の時間間隔を決定するステップと
を有することを特徴とする輻輳制御方法。
【発明の詳細な説明】
【技術分野】
【０００１】
本発明は、ゲートウェイを含むＩＰ網における少なくとも電話を含むセッションを設定するアプリケーションに対する輻輳制御技術に係わり、特に、ゲートウェイの処理能力の向上に伴う網内部での輻輳を効率的に制御するのに好適な輻輳制御技術に関するものである。
【背景技術】
【０００２】
現在、ＩＰ網と公衆電話交換網間をゲートウェイで接続して通話するＩＰ電話技術が利用可能となっており、このような網構成における輻輳制御が必要となっている。このような輻輳制御に関して、まず、従来の公衆電話交換網における輻輳制御技術について説明する。
【０００３】
この公衆電話交換網における輻輳制御技術を説明するために、公衆電話交換網が採用している回線交換網の網構成について説明する。
【０００４】
公衆電話交換網の網構成は、地域と対応付けがなされ、さらに階層構造をしている。地域との対応付けとは、ある加入者線交換機に収容される加入者は、ある地域内の加入者全体であることを意味している。また、網構成は、階層構造になっており、加入者を加入者線交換機が収容し、その加入者線交換機は、より上位の交換機に収容されるといった構造を持つ。
【０００５】
これは、電話番号の構成にも反映されており、電話番号によって地域を特定することが可能である。この番号をもとに、各交換機は最終的にどの着側交換機に接続すれば良いのかを判断し、次の段ヘセッションをつなげ最終的にセッションを確立する。
【０００６】
このような特徴を持った網の場合の制御は、集中管理が適している。なぜならば階層構造をしているために、より大きな範囲で制御をかけるためには、より上の階層で制御をかければよいからである。
【０００７】
このため、公衆電話交換網における輻輳制御技術は、非特許文献１、および非特許文献２、非特許文献３に記載のように集中管理を行っており、各交換機は、輻輳を検知すると集中管理システムヘ通知し、集中管理システム側で各交換機での規制量を決定し、各交換機に通知する方式をとっている。
【０００８】
公衆電話交換網における自網と他網間における輻輳についても集中管理システムによってなされている。また、一部については手動によって制御されている。
【０００９】
【非特許文献１】下垣、小林、頭川：電話網の輻輳を防ぐオペレーションシステム−機能高度化したトラヒック制御システム（ＴＣＳ−Ｖ２）、ＮＴＴ技術ジャーナル、１−８（１９８９）、ｐ．６１−６５
【非特許文献２】下垣、長谷川：トラヒック制御システム（ＴＣＳ−Ｖ２）の機能拡充、ＮＴＴ技術ジャーナル、３−２（１９９１）、ｐ．４０−４３
【非特許文献３】情報通信技術ハンドブック編集委員会、情報通信技術ハンドブック、オーム社（１９８７）、ｐ．８７−８９
【発明の開示】
【発明が解決しようとする課題】
【００１０】
解決しようとする従来技術の問題点は次のとおりである。公衆電話交換網におけるゲートウェイは、電話網同士を仲介するものであるが、ＩＰ電話網においては、ＩＰ網と公衆電話交換網間のゲートウェイであり、プロトコルの変換の必要性がある。このため公衆電話交換網におけるゲートウェイと比較して、ゲートウェイそのもののＣＰＵの処理能力は高く設定されるものと想定される。
【００１１】
ゲートウェイのＣＰＵ処理能力が高い場合、ゲートウェイ自体が処理能力不足になり輻輳を起こす可能性は小さい。しかし、輻輳発生時には、ゲートウェイのＣＰＵ処理能力が高い分、セッション接続に失敗するセッションの数が増え、それらが公衆電話交換網およびＩＰ網に余分な負荷を与える。この余分な負荷が公衆電話交換網内部とＩＰ網内部での輻輳を引き起こすという問題がある。
【００１２】
さらに、ＩＰ網では集中管理システムは存在しないため、公衆電話交換網のように集中管理システムによりゲートウェイを制御することができない。
【００１３】
本発明の目的は、ゲートウェイを伴った網におけるセッションを設定するアプリケーションの輻輳制御を効率的に行うことである。
【課題を解決するための手段】
【００１４】
上記目的を達成するため、本発明では、ゲートウェイにおいて、ある番号またはアドレスヘの着信セッションに注目し、この着信番号あるいはアドレスヘの不完了率（もしくは完了率）を計測することにより、ゲートウェイの段階でセッション接続要求を規制する。さらにゲートウェイを通過した後のセッションに対して不完了率（もしくは完了率）を計測し、この不完了率（もしくは完了率）が予め決められた上限と下限の間になるようにゲートウェイでの規制をかけることにより、輻輳時の規制の安定化、および、ゆるやかな規制の解除を実現する。
【発明の効果】
【００１５】
本発明によれば、輻輳時、ゲートウェイのところでセッション要求を規制し、これにより無用な負荷をゲートウェイが結ぶそれぞれの網に与えないようにすることができる。さらに、規制緩和により収まっていた輻輳が再度発生して再度規制するといった輻輳時の制御の安定性を実現することができる。
【発明を実施するための最良の形態】
【００１６】
以下、図を用いて本発明を実施するための最良の形態例を説明する。
【実施例】
【００１７】
図１は、本発明に係わる輻輳制御装置の構成例を示すブロック図であり、図２は、図１における輻輳制御装置のハードウェア構成例を示すブロック図、図３は、図１における輻輳制御装置の本発明に係わる輻輳制御方法例を示すフローチャート、図４は、本発明に係わる輻輳制御装置を設けたネットワークの構成例を示すブロック図である。
【００１８】
図２において、２１はＣＲＴ（Cathode Ray Tube）やＬＣＤ(Liquid Crystal Display)等からなる表示装置、２２はキーボードやマウス等からなる入力装置、２３はＨＤＤ（Hard Disk Drive）等からなる外部記憶装置、２４はＣＰＵ（Central Processing Unit）２４ａや主メモリ２４ｂおよび入出力インタフェース２４ｃ等を具備してコンピュータ処理を行なう情報処理装置、２５は本発明に係わるプログラムやデータを記録したＣＤ−ＲＯＭ（Compact Disc-Read Only Memory）もしくはＤＶＤ（Digital Video Disc/Digital Versatile Disc）等からなる光ディスク、２６は光ディスク２５に記録されたプログラムおよびデータを読み出すための駆動装置、２７はＬＡＮ（Local Area Network）カードやモデム等からなる通信装置である。
【００１９】
光ディスク２５に格納されたプログラムおよびデータを情報処理装置２４により駆動装置２６を介して外部記憶装置２３内にインストールした後、外部記憶装置２３から主メモリ２４ｂに読み込みＣＰＵ２４ａで処理することにより、情報処理装置２４内に図１に示す輻輳制御装置の各機能が構成される。
【００２０】
輻輳制御装置は、図１に示すように、本発明の第１の手段としての不完了セッション検出部１と不完了率計測部２、本発明の第２の手段としての第２の不完了率計測部３と第１の不完了率計測部４および規制制御部５と規制実行・解除部６からなり、網間における少なくとも電話を含むセッションの設定に起因する輻輳を制御するものであって、網間を接続するゲートウェイを経由する全てのセッションに対して、着信側端末の識別情報単位に、当該セッションの不完了を監視・測定し、結果を不完了情報として記憶装置に記憶すると共に、この記憶装置から不完了情報を読み出し、この不完了情報を基に、ゲートウェイにおける当該着信側端末へのセッション設定要求に対する規制を行う。
【００２１】
本例では、説明の簡単のため、図４においてネットワークＡ４１ａからゲートウェイ４２を介してネットワークＢ４１ｂのいくつかの端末に呼が集中している状態・状況を考え、以下に、このような状況下においての、図１に示す構成からなる輻輳制御装置４０による図３に示す輻輳制御処理動作の説明を行う。
【００２２】
不完了セッション検出部１では、不完了セッションの検出を行う（ステップ１０１）。すなわち、ゲートウェイ４２における、ネットワークＢ４１ｂへの接続要求セッションが不完了となるセッションがあるかどうかの検出を行う。この不完了セッションの検出は常時行う。
【００２３】
不完了セッション検出部１で不完了セッションを検出すると、不完了率計測部３において、記憶装置に予め登録した不完了率測定リストに、検出された不完了セッションの着信番号（アドレス）を加え（ステップ１０２）、着信番号（アドレス）ごとに、不完了率、すなわち、接続要求セッション数に対する不完了セッション数の割合を計数する（ステップ１０３）。この計数は、指示がない限り継続して行われる。
【００２４】
規制制御部５では、不完了率計測部３において計数された着信番号（アドレス）ごとの不完了率が閾値Ｒ０を越えているかどうか判定し（ステップ１０４）、不完了率が閾値Ｒ０を越えていなければ、次に不完了率が閾値Ｒ１（＜Ｒ０）以下かどうか判定する（ステップ１０５）。
【００２５】
不完了率が閾値Ｒ１以下でなければ、不完了率が閾値Ｒ０を越えているかどうかの判定を続ける。また、不完了率が閾値Ｒ１以下であれば、不完了率計測部２内にある不完了率測定リストから該当着信番号（アドレス）を除去する（ステップ１０６）。
【００２６】
ステップ１０４で不完了率が閾値Ｒ０を越えていると判定された場合には、規制制御部５から規制実行・解除部６に指示を出し、規制実行・解除部６において、予め決められた規制値での規制を行う（ステップ１０７）。
【００２７】
尚、ステップ１０７での規制の仕方は、以下のように行う。当該着信側端末向けのセッションに対して、予め決められた回数分あるいは測定から求められた回数分の接続要求に対して、１セッションのみがゲートウェイ４２を通過するように規制する。もしくは、予め決められた回数分を設定した後、測定により修正された回数分の接続要求に対して、１セッションのみがゲートウェイ４２を通過するように規制する。後述のステップ１１０およびステップ１１２での規制の仕方も同様である。
【００２８】
規制実行・解除部６への規制指示と同時に、規制制御部５から第２の不完了率計測部３に指示を出し、この第２の不完了率計測部３で、第２の不完了率、すなわち、ゲートウェイ４２を通過した後におけるネットワークＢ４１ｂへのセッション要求数に対する不完了セッション数の割合を計数する（ステップ１０８）。
【００２９】
さらに、規制制御部５で、第２の不完了率が上限ＲＵ２以上かどうかの判定を行い（ステップ１０９）、ＲＵ２以上であれば規制制御部５から規制実行・解除部６に指示を出し、規制実行・解除部６において規制値を強化し規制し（ステップ１１０）、再度、第２の不完了率が上限ＲＵ２以上かどうかの判定を行い、これを繰り返す。
【００３０】
第２の不完了率が上限ＲＵ２以上でない場合には、規制制御部５で第２の不完了率が下限ＲＬ２以下かどうかの判定を行い（ステップ１１１）、第２の不完了率がＲＬ２以下であれば、規制制御部５において、第２の不完了率が下限ＲＬ２以下かどうか判定し（ステップ１１１）、第２の不完了率が下限ＲＬ２以下であれば規制制御部５から規制実行・解除部６に指示を出し、この規制実行・解除部６においては規制値を緩和し（ステップ１１２）、再度、第２の不完了率が下限ＲＬ２以下かどうかの判定を行い、これを繰り返す。
【００３１】
第２の不完了率が下限ＲＬ２以下でない場合には、規制制御部５で、第１の不完了率、すなわち、ネットワークＡ４１ａからゲートウェイ４２に加わるセッション要求数に対するゲートウェイ４２を通過しないセッション要求数の割合が、規制解除閾値以下かどうか判定する（ステップ１１３）。
【００３２】
第１の不完了率が規制解除閾値以下でない場合には、再度、ステップ１０９の判定処理に戻り、また、第１の不完了率が規制解除閾値以下である場合には、規制を解除し（ステップ１１４）、ステップ１０４の処理に戻る。ここで、第１の不完了率は、第１の不完了率計測部４で求められる。
【００３３】
尚、上述のステップ１０７，１１０，１１２での規制の仕方において、１セッションのみがゲートウェイ４２を通過するように規制する際のセッション接続要求回数を、上述の第２の不完了率が予め決められた上限と下限の間の値になるように決定する。
【００３４】
以上、図１〜図４を用いて説明したように、本例の輻輳制御技術では、網における少なくとも電話を含むセッションの設定に起因する輻輳を制御するために、網間を接続するゲートウェイ４２を経由する全てのセッションを監視し、着信側端末単位に、当該端末へのセッションの不完了結果を取得して記憶装置に記憶すると共に、この記憶装置からセッションの不完了結果情報を読み出し、この不完了情報を基に当該着信側端末へのセッション設定要求を規制する。
【００３５】
より詳細には、接続要求セッション数に対する不完了セッション数の割合である不完了率が予め決められた第１の閾値を越えるか否かを判別し、不完了率が第１の閾値を越えた場合、当該着信側端末向けのセッションに対して、予め決められた回数分あるいは測定から求められた回数分の接続要求に対して、もしくは、予め決められた回数分を設定した後、測定により修正された回数分の接続要求に対して、１セッションのみがゲートウェイ４２を通過するように規制する。
【００３６】
また、網（４１ａ）からゲートウェイ４２に加わるセッション要求数に対するゲートウェイ４２を通過しないセッション要求数の割合としての第１の不完了率を算出し、ゲートウェイ４２を通過した網(４１ｂ)へのセッション要求数に対する不完了セッション数の割合としての第２の不完了率を算出し、これらの第１，第２の不完了率を基に規制を解除する。
【００３７】
また、第２の不完了率に対して上限と下限の２つの閾値を設け、第２の不完了率が下限を下回った場合にはゲートウェイ４２での規制をゆるめ、第２の不完了率が上限を上回った場合にはゲートウェイ４２での規制を強化する。
【００３８】
また、第１の不完了率に対して下限の閾値としての規制解除閾値を設け、規制を解除する際は、第１の不完了率が規制解除閾値を下回った場合に、ゲートウェイ４２での規制解除を行う。
【００３９】
また、１セッションのみがゲートウェイ４２を通過するように規制する際、ゲートウェイ４２を通過した網(４１ｂ)へのセッション要求数に対する不完了セッション数の割合としての第２の不完了率を算出し、この第２の不完了率が予め決められた上限と下限の間の値になるように、１セッションをゲートウェイ４２を通過させる際のセッション接続要求回数を決定する。
【００４０】
このように、本例では、輻輳時、ゲートウェイ４２のところでセッション要求を規制し、これにより無用な負荷をゲートウェイ４２が結ぶそれぞれの網（４１ａ、４１ｂ）に与えないようにすることができる。さらに、規制緩和により収まっていた輻輳が再度発生して再度規制するといった輻輳時の制御の安定性を実現することができる。
【００４１】
尚、本発明は、図１〜図４を用いて説明した例に限定されるものではなく、その要旨を逸脱しない範囲において種々変更可能である。例えば、本例においては、不完了率を基にしているが、完了率を基にして構成することも容易である。
【００４２】
この場合、網間を接続するゲートウェイ４２を経由する全てのセッションを監視し、着信側端末単位に、当該端末へのセッションの完了結果を取得して記憶装置に記憶し、記憶装置からセッションの完了結果情報を読み出し、この完了情報を基に当該着信側端末へのセッション設定要求を規制する。
【００４３】
そして、この規制に際して、接続要求セッション数に対する完了セッション数の割合である完了率が予め決められた第２の閾値を下回るか否かを判別し、完了率が第２の閾値を下回った場合、当該着信側端末向けのセッションに対して、予め決められた回数分あるいは測定から求められた回数分の接続要求に対して、もしくは、予め決められた回数分を設定した後、測定により修正された回数分の接続要求に対して、１セッションのみがゲートウェイ装置を通過するように規制する。
【００４４】
また、網（４１ａ）からゲートウェイ４２に加わるセッション要求数に対するゲートウェイ４２を通過するセッション要求数の割合としての第１の完了率を算出し、ゲートウェイ４２を通過した網(４１ｂ)へのセッション要求数に対する完了セッション数の割合としての第２の完了率を算出し、これらの第１，第２の完了率を基に規制を解除する。
【００４５】
この際、第２の完了率に対して上限と下限の２つの閾値を設け、第２の完了率が上限を上回った場合にはゲートウェイ４２での規制をゆるめ、第２の完了率が下限を下回った場合にはゲートウェイ４２での規制を強化する。
【００４６】
あるいは、第１の完了率に対して上限の閾値としての規制解除閾値を設け、規制を解除する際には、第１の完了率が規制解除閾値を上回った場合に、ゲートウェイ４２での規制解除を行う。
【００４７】
また、１セッションのみがゲートウェイ４２を通過するように規制する際には、ゲートウェイ４２を通過した網へのセッション要求数に対する完了セッション数の割合としての第２の完了率を算出し、この第２の完了率が予め決められた上限と下限の間の値になるように、１セッションをゲートウェイ装置を通過させる際のセッション接続要求回数を決定する。
【００４８】
また、本例では、説明の都合上、ネットワークＡ４１ａからネットワークＢ４１ｂ内の端末に呼が集中していることを想定したが、逆にネットワークＢ４１ｂからネットワークＡ４１ａ内の端末に呼が集中している場合も同様に実現可能である。さらに複数のネットワークからネットワークＢ４１ｂ内の端末に呼が集中している場合についても同様に実現可能である。
【００４９】
また、本例では、ステップ１０７およびステップ１１０，１１２での規制の仕方として、当該着信側端末向けのセッションに対して、予め決められた回数分あるいは測定から求められた回数分の接続要求に対して、１セッションのみがゲートウェイ４２を通過するように、もしくは、予め決められた回数分を設定した後、測定により修正された回数分の接続要求に対して、１セッションのみがゲートウェイ４２を通過するように規制しているが、例えば、当該着信側端末向けのセッションに対して、予め決められた時間間隔あるいは測定から求められた時間間隔で、もしくは、予め決められた時間間隔に設定した後、測定により修正された時間間隔で、１セッションのみがゲートウェイ装置を通過するように規制することでも良い。この際、１セッションのみがゲートウェイ４２を通過するように規制する際の時間間隔を、上述の第２の不完了率が予め決められた上限と下限の間の値になるように決定する。
【００５０】
尚、この規制に際しては、接続要求セッション数に対する完了セッション数の割合である完了率が予め決められた第２の閾値を下回るか否かを判別し、完了率が第２の閾値を下回った場合、当該着信側端末向けのセッションに対して、予め決められた時間間隔あるいは測定から求められた時間間隔で、もしくは、予め決められた時間間隔に設定した後、測定により修正された時間間隔で、１セッションのみがゲートウェイ装置を通過するように規制することでも良い。
【００５１】
また、本例における、ゲートウェイ装置を通過するセッションの規制では、１セッションのみがゲートウェイ装置を通過するように規制しているが、本発明はこれに限定されるものではなく、例えば１０セッション中の２セッション等、予め決められたセッション数を通過させるよう規制することができる。
【００５２】
また、本例では、図４に示すように、輻輳制御装置４０をゲートウェイ４２の外部に設けた構成としているが、輻輳制御装置４０をゲートウェイ４２の内部に設けた構成としても良い。
【００５３】
また、本例では、輻輳制御装置のコンピュータ構成として図２の構成例を示したが、キーボードや光ディスクの駆動装置の無いコンピュータ構成としても良い。また、本例では、光ディスクを記録媒体として用いているが、ＦＤ（Flexible Disk）等を記録媒体として用いることでも良い。また、プログラムのインストールに関しても、通信装置を介してネットワーク経由でプログラムをダウンロードしてインストールすることでも良い。
【図面の簡単な説明】
【００５４】
【図１】本発明に係わる輻輳制御装置の構成例を示すブロック図である。
【図２】図１における輻輳制御装置のハードウェア構成例を示すブロック図である。
【図３】図１における輻輳制御装置の本発明に係わる輻輳制御方法例を示すフローチャートである。
【図４】本発明に係わる輻輳制御装置を設けたネットワークの構成例を示すブロック図である。
【符号の説明】
【００５５】
１：不完了セッション検出部、２：不完了率計測部、３：第２の不完了率計測部、４：第１の不完了率計測部、５：規制制御部、６：規制実行・解除部、２１：表示装置、２２：入力装置、２３：外部記憶装置、２４：情報処理装置、２４ａ：ＣＰＵ、２４ｂ：主メモリ、２４ｃ：入出力インタフェース、２５：光ディスク、２６：駆動装置、２７：通信装置。
【図１】
2005223496.tif 000003
【図２】
2005223496.tif 000004
【図３】
2005223496.tif 000005
【図４】
2005223496.tif 000006